(57)【要約】【課題】従来の魔法瓶は、直接湯を沸かせない事や、湯を入れ替える時などの手間と不便、また、熱湯による火傷を負う事故の危険性がある。また、電気ポット等は、保温する為に電力を浪費する。従って、従来の魔法瓶の手間と不便、また、熱湯による火傷を負う事故の危険性の解消と、電気ポット等の省電力を計るものである。【解決手段】内外二層の間の空間４を真空にした、内層２と外層３からなる蓋付き真空加熱保温器１で、その真空の空間４に面した内層２の外面底部に、加熱可能な５を密接させて付設し、外層３に複数の電源端子７を設けて、前記負荷５と前記電源端子７を電気的に接続して取り付ける。【選択図】  図１
2007068940.tif 000002
【特許請求の範囲】
【請求項１】
蓋を有した内層２と外層３から成る二層の容器で、二層の間の空間４を真空にし、その空間４に面した内層２の外面に加熱可能な負荷５と、外層３に電源端子７を設けて、前記負荷５と前記電源端子７を電気的に接続して取り付けた真空加熱保温器。
【請求項２】
前記加熱可能な負荷５と前記電源端子７を、複数のリレー端子８と複数のリレー端子８ａで、間接的に電気的に接続して取り付けた請求項１の真空加熱保温器。
【請求項３】
前記加熱可能な負荷５を、内層２の外面底部に密接させて付設した請求項１または２の真空加熱保温器。
【請求項４】
前記加熱可能な負荷５を、電磁誘導加熱コイルにした請求項１または２の真空加熱保温器。
【請求項５】
前記複数のリレー端子８を、磁気作動するリレー端子にして、外層３に電磁石コイル９を設けて、前記電源端子７と電気的に接続して取り付けた請求項２、３または４の真空加熱保温器。
【請求項６】
前記内層２と外層３の素材を合成樹脂にして、内層２の内側の中に、誘導加熱で発熱可能な金属製の容器１０を有する請求項４または５の真空加熱保温器。
【請求項７】
前記外層３の底部に、電磁誘導加熱器に対し誘導電流を発生するよう電磁結合可能なコイル１１を設け、前記コイル１１には電流出力端子を有し、前記コイル１１の電流出力端子を前記電源端子７に電気的に接続された請求項１、２、３、４、５または６の真空加熱保温器。
【請求項８】
前記複数のリレー端子８と複数のリレー端子８ａを形状記憶素材に付設して取り付けた請求項２、３、４、５、６または７の真空加熱保温器。
【発明の詳細な説明】
【発明の詳細な説明】
【技術分野】
【０００１】  蓋を有した内層２と外層３から成る二層の容器で、二層の間の空間４を真空にし、その空間４に面した真空中の内層２の外面または、内層２の内側の中に在る容器１０を加熱して、湯を沸したり、煮物をしたり、その内層２の内側の中で沸いた湯や、煮物が内層２の内側でそのまま保温される真空加熱保温器１に関する。
【背景技術】
【０００２】  従来、湯等を、長時間保温出来る容器と言えば、魔法瓶と言われる内外二層の間の空間が真空の蓋付きの容器で、湯を保温する時は、湯を別容器で沸かし、沸いた湯を保温容器に移しかえる。保温容器で直接湯を沸かすことが出来ないので、湯温が低下した場合は、冷めた湯は、保温容器より放出して、再度、別容器で沸して、また再び、保温容器に入れ替える等の手間がかかる不便さや、直接湯を沸かせない等の欠点があり、湯を入れ替える時などは、熱湯による火傷の危険も伴う。【０００３】  また、容器の側面だけが内外二層の間の空間が真空で、底部は単層の電気ポットは、その底部を電熱体で加熱して湯を沸したりするが、容器の底部が単層のため、電源を切ると間もなく、湯は、容器の底部から冷めはじめる。【０００４】  冷めないようにするために、常時、室内のコンセントから保温用の電力を供給して、湯等を保温しなければならない等、無駄な電力を浪費する。
【発明が解決しようとする課題】
【０００５】以上のように、従来の魔法瓶は、直接湯を沸かせない事や、湯を入れ替える時などの手間と不便、また、熱湯による火傷を負う事故の危険性がある。また、電気ポット等は、保温する為に電力を浪費する。従って、従来の魔法瓶の手間と不便、また、熱湯による火傷を負う事故の危険性の解消と、電気ポット等の省電力を計るものである。
【課題を解決するための手段】
【０００６】  内外二層の間の空間４を真空にした、内層２と外層３からなる蓋付き真空加熱保温器１で、その真空の空間４に面した内層２の外面底部に、加熱可能な負荷５として電熱体（以下負荷５と記す）あるいは、電磁誘導加熱コイル（以下負荷５と記す）を密接させて付設し、外層３に複数の電源端子７を設けて、前記負荷５と前記電源端子７を電気的に接続して取り付ける。
【０００７】前記電源端子にプラグ付き電源コードを接続し、プラグを電気コンセントに差込むと、負荷５に電流が流れて負荷５は発熱し内層２の外面底部を加熱する。
【０００８】あるいは、前記電源端子に高周波電源より、高周波電流出力端子を接続し、前記電源端子に高周波電流を出力すると、負荷５に高周波電流が流れて交番磁界が発生し、内層２の外面底部は、交番磁界により渦電流が流れ、この渦電流が内層２の外面底部の抵抗に作用して内層２の外面底部自体が発熱し加熱される。
【０００９】また、前記内層２の外面に、接点を有した複数のリレー端子８ａを付設し、前記負荷５と電気的に接続して、外層３の内面に、接点を有した磁気作動するリレー端子８を設け前記電源端子７と電気的に接続し、電磁石コイル９を外層３の内面または外面に設け、前記電源端子７と電気的に接続する。
【００１０】  前記電源端子７にプラグ付き電源コードを接続して、プラグを電気コンセントに差込むと電磁石コイル９に励磁電流が流れ、リレー端子８が磁気作動して、内層２の外面のリレー端子８ａの接点に接触し、負荷５に電流が流れて負荷５は発熱し、内層２の外面底部が加熱される。
【００１１】あるいは、前記電源端子７に高周波電源より、高周波電流出力端子を接続し、前記電源端子７に高周波電流を出力すると、電磁石コイル９に励磁電流が流れ、リレー端子８が磁気作動して、内層２の外面のリレー端子８ａの接点に接触し、負荷５に高周波電流が流れて交番磁界が発生し、内層２の外面底部は、交番磁界により渦電流が流れ、この渦電流が内層２の外面底部の抵抗に作用して内層２の外面底部自体が発熱し加熱される。
【００１２】温度センサ６の設定温度に達すると負荷５に流れる電流は遮断されて内層２の外面底部の発熱と加熱も停止する。
【発明を実施するための最良の形態】
【００１３】  以下、図面に基づき、本発明の各種実施の形態について説明する。
図１は、本発明の第１の実施の形態を示している。【００１４】蓋付き真空加熱保温器１の、内層２と外層３からなる内外二層の内層２と外層３の素材を金属にして、内外二層の間の空間４を真空にして、前記真空の空間４に面した内層２の外面底部に、加熱可能な負荷５として電熱体（以下負荷５と記す）を密接させて付設し、内層２の外面底部に温度センサ６を設ける。負荷５と温度センサ６を電気的に接続し、電源端子７と電気的に接続する。内層２の内側の中に水を２．２Ｌ入れる。【００１５】次に、作用について説明する。
プラグ付き電源コードを電源端子に接続して、プラグを電気コンセントに差込むと、負荷５に電流が流れて負荷５は発熱して内層２の外面底部を加熱し、内層２の外面底部は、温度センサ６の加熱設定温度まで加熱される。【００１６】負荷５は内層２の外面底部に密接して付設され、内層２の外面底部の、底部と一体となっているので、空間４が真空でも、通常の加熱発熱効果を生じさせる事ができる。【００１７】  温度センサ６の設定温度に達すると負荷５に流れる電流は遮断されて、負荷５の発熱は止まり、内層２の外面底部の加熱も停止する。【００１８】  内層２の外面底部の温度が低下して、温度センサ６の加熱設定温度に達すると、負荷５に通電されて負荷５は再度発熱して、内層２の外面底部は再び加熱される。【００１９】前記のように、、内層２の外面底部は加熱されるので、加熱条件として、室温２５°Ｃ、水温２２°Ｃ、商用電源ＡＣ１００Ｖ、負荷７００Ｗで加熱し、内層２の内側の中に入れた２．２Ｌの水は１８分で沸騰した。野菜や肉や魚などの煮物料理を作る事も可能で、また、炊飯する事も出来る。内外二層の真空加熱保温器故に、長時間に亘り保温出来るので、保温電力が低減する為経済的である。【００２０】  湯が冷めた時には、そのまま再度沸す事が出来るので、従来のような、別容器で再度湯を沸したり、その湯を別容器に入れ替えたりする手間がかかる不便さが省け、また、その時に熱湯による火傷を負う事故の危険性も解消する。このように、不便と欠点、経済的な無駄など、また事故の危険性などが解消される。
本発明の真空加熱保温器の例として、電気ポット、電気炊飯器、電気鍋、おしぼり保温器、温蔵庫等が適している。【００２１】  図２は、本発明の第２の実施の形態を示している。
図２の内層２と外層３の素材を合成樹脂にして、内層２の内側の中に、内層２から出し入れできる金属製の内容器１０を設け、内層２の外面底部に、加熱可能な負荷５として、電磁誘導加熱コイル（以下負荷５と記す）を設け、内層２の外面底部に温度センサ６を設け、前記内層２の外面に、二つのリレー端子８ａを設ける。二つのリレー端子８ａは接点を有している。前記二つのリレー端子８ａは、負荷５と温度センサ６と電気的に接続している。外層３の内面に、磁気作動する二つのリレー端子８と電磁石コイル９を組込んだ電磁継電器を設け、外層３に、二つの電源端子７を設ける。電磁石コイル９は、電源端子７と電気的に接続し、二つのリレー端子８も電源端子７と電気的に接続している。内容器１０に水を２．２Ｌ入れる。【００２２】  次に、作用に付いて説明する。
外層３  に設けた二つの電源端子７に、高周波電源より高周波電流出力端子を接続する。二つの電源端子７に高周波電流が出力されると、前記電磁石コイル９に励磁電流が流れ、二つのリレー端子８が磁気作動して、二つのリレー端子８の接点が、二つのリレー端子８ａの接点と接触すると、二つのリレー端子８と二つの電源端子７は、電気的に接続しているので、負荷５へ、二つの電源端子７より高周波電流が流れ、負荷５より交番磁界が発生して、この交番磁界に在る、内層２の内側の中の金属製の内容器１０の底部に、この交番磁界で電磁誘導による渦電流が流れ、この渦電流が内容器１０の抵抗に作用して内容器１０自体が発熱し加熱され、温度センサ６の加熱設定温度に達するまで熱せられる。【００２３】加熱設定温度に達すると、温度センサ６が働き、負荷５に流れている高周波電源からの高周波電流は遮断され、二つの電源端子７から高周波電流を継電していたリレー端子８とリレー端子８ａの全て接点は開放され、負荷５より発生していた交番磁界は消滅し、内容器１０の底部の、電磁誘導による渦電流も消滅して、内容器１０の底部の発熱は止まり、内容器１０の底部の加熱は停止する。【００２４】  また、長時間経過して、内層２の内側の中に在る内容器１０の底部の温度が低下した時は、温度センサ６の加熱設定温度に低下すると、温度センサ６が通電状態になり、高周波電源から高周波電流が流れるので、電磁石コイル９に励磁電流が流れ、二つのリレー端子８ａは磁気作動して、二つのリレー端子８と、二つのリ二つのレー端子８ａの接点が接触し合い、前記負荷５に高周波電源から高周波電流が流れ、前記負荷５に交番磁界が発生して、内層２の内側の中の内容器１０の底部に、この交番磁界による渦電流が流れ、内容器１０の底部自体が発熱し加熱され、温度センサ６の加熱設定温度に達するまで熱せられる。【００２５】前記のように、、内層２の外面底部は加熱されるので、加熱条件として、室温２５°Ｃ、水温２２°Ｃ、高周波電源２０Ｋｈｚ、２００Ｖ、負荷１Ｋｗで、内層２の外面底部を電磁誘導加熱し、内層２の内側の中に入れた２．２Ｌの水は１５分で沸騰した。野菜や肉や魚などの煮物料理を作る事も可能で、また、炊飯する事も出来る。内外二層の真空加熱器故に、長時間に亘り保温出来るので、保温電力が低減する為に経済的である。【００２６】なお、第２の実施の形態の、本発明の真空加熱保温器は、ＩＨ炊飯器、ＩＨ調理鍋などに適している。
【発明の効果】
【００２７】  本発明の真空加熱保温器は、真空保温器自体で直接湯を沸したり煮物を煮たりする事が出来る。例えば、湯を保温する場合、従来は、他容器で沸した湯を、魔法瓶など保温する容器へ、湯を移し替える手間が掛かったが、この手間が省けるようになった。また、従来、保温容器の中の湯が冷めた時は、冷めた湯を放出したり、新たに他容器で沸した湯を、魔法瓶など保温する容器へ、湯を移し替える等、手間と不便、また、熱湯による火傷の事故の危険性が伴っていたが、本発明の真空加熱保温器は、そのまま再度沸すことができるので、新たに別の容器で湯を沸かしたり、その沸かした湯を、その都度、他容器に再注入して保温するなどの手間と不便、または、熱湯による火傷の事故の危険性が解消された。また、本発明の真空加熱保温器は、長時間に亘り保温出来る。従って、従来の電気ポットが保温用に費やしていた電力を省電力化できる。また、湯を沸すだけでなく、煮物を煮たり、冷たいものを保冷する事も出来きる。このように、本発明の真空加熱保温器の効果は、前記の手間のかかる不便と欠点、及び熱湯による火傷の事故の危険性が解消されると伴に、省電力化が可能となった。また、本発明の真空加熱保温器は、電気ポット、電気炊飯器、ＩＨ炊飯器、電気調理鍋、ＩＨ調理鍋、おしぼり保温器、温蔵庫等、多目的に活用する事が出来る。
【図面の簡単な説明】
【図１】  本発明の第１の実施の形態の一部を切り欠いた前面図である。
【図２】  本発明の第２の実施の形態の一部を切り欠いた前面図である。
【符号の説明】
１    真空加熱保温器
２    内層
３    外層
４    空間
５    負荷
６    温度センサ
７    電源端子
８    リレー端子
８ａ  リレー端子
９    電磁石コイル
１０  内容器
１１  電磁結合可能なコイル
【図１】
2007068940.tif 000003
【図２】
2007068940.tif 000004
【図３】
2007068940.tif 000005
【手続補正書】
【提出日】平成17年12月8日(2005.12.8)
【手続補正１】
【補正対象書類名】明細書
【補正対象項目名】全文
【補正方法】変更
【補正の内容】
【発明の詳細な説明】
【技術分野】
【０００１】  蓋を有した内層２と外層３から成る二層の容器で、二層の間の空間４を真空にし、その空間４に面した真空中の内層２の内面または、内層２の内側の中に在る容器１０を加熱して、湯を沸したり、煮物をしたり、その内層２の内側の中で沸いた湯や、煮物が内層２の内側でそのまま保温される真空加熱保温器１に関する。
【背景技術】
【０００２】  従来、湯等を、長時間保温出来る容器と言えば、魔法瓶と言われる内外二層の間の空間が真空の蓋付きの容器で、湯を保温する時は、湯を別容器で沸かし、沸いた湯を保温容器に移しかえる。保温容器で直接湯を沸かすことが出来ないので、湯温が低下した場合は、冷めた湯は、保温容器より放出して、再度、別容器で沸して、また再び、保温容器に入れ替える等の手間がかかる不便さや、直接湯を沸かせない等の欠点があり、湯を入れ替える時などは、熱湯による火傷の危険も伴う。【０００３】  また、容器の側面だけが内外二層の間の空間が真空で、底部は単層の電気ポットは、その底部を電熱体で加熱して湯を沸したりするが、容器の底部が単層のため、電源を切ると間もなく、湯は、容器の底部から冷めはじめる。【０００４】  冷めないようにするために、常時、室内のコンセントから保温用の電力を供給して、湯等を保温しなければならない等、無駄な電力を浪費する。
【発明が解決しようとする課題】
【０００５】以上のように、従来の魔法瓶は、直接湯を沸かせない事や、湯を入れ替える時などの手間と不便、また、熱湯による火傷を負う事故の危険性がある。また、電気ポット等は、保温する為に電力を浪費する。従って、従来の魔法瓶の手間と不便、また、熱湯による火傷を負う事故の危険性の解消と、電気ポット等の省電力を計るものである。
【課題を解決するための手段】
【０００６】内外二層の間の空間４を真空にした、内層２と外層３からなる蓋付き真空加熱保温器１で、その真空の空間４に面した内層２の外面底部に、加熱可能な負荷５として電熱体（以下負荷５と記す）あるいは、電磁誘導加熱コイル（以下負荷５と記す）を密接させて付設し、外層３に複数の電源端子７を設けて、前記負荷５と前記電源端子７を電気的に接続して取り付ける。
【０００７】前記電源端子にプラグ付き電源コードを接続し、プラグを電気コンセントに差込むと、負荷５に電流が流れて負荷５は発熱し内層２の外面底部を加熱する。
【０００８】あるいは、前記電源端子に高周波電源より、高周波電流出力端子を接続し、前記電源端子に高周波電流を出力すると、負荷５に高周波電流が流れて交番磁界が発生し、内層２の外面底部は、交番磁界により渦電流が流れ、この渦電流が内層２の外面底部の抵抗に作用して内層２の外面底部自体が発熱し加熱される。
【０００９】また、前記内層２の外面に、接点を有した複数のリレー端子８ａを付設し、前記負荷５と電気的に接続して、外層３の内面に、接点を有した磁気作動するリレー端子８を設け前記電源端子７と電気的に接続し、電磁石コイル９を外層３の内面または外面に設け、前記電源端子７と電気的に接続する。
【００１０】前記電源端子７にプラグ付き電源コードを接続して、プラグを電気コンセントに差込むと電磁石コイル９に励磁電流が流れ、リレー端子８が磁気作動して、内層２の外面のリレー端子８ａの接点に接触し、負荷５に電流が流れて負荷５は発熱し、内層２の外面底部が加熱される。
【００１１】あるいは、前記電源端子７に高周波電源より、高周波電流出力端子を接続し、前記電源端子７に高周波電流を出力すると、電磁石コイル９に励磁電流が流れ、リレー端子８が磁気作動して、内層２の外面のリレー端子８ａの接点に接触し、負荷５に高周波電流が流れて交番磁界が発生し、内層２の外面底部は、交番磁界により渦電流が流れ、この渦電流が内層２の外面底部の抵抗に作用して内層２の外面底部自体が発熱し加熱される。
【００１２】温度センサ６の設定温度に達すると負荷５に流れる電流は遮断されて内層２の外面底部の発熱と加熱も停止する。
【発明を実施するための最良の形態】
【００１３】  以下、図面に基づき、本発明の各種実施の形態について説明する。
図１は、本発明の第１の実施の形態を示している。【００１４】蓋付き真空加熱保温器１の、内層２と外層３からなる内外二層の内層２と外層３の素材を金属にして、内外二層の間の空間４を真空にして、前記真空の空間４に面した内層２の外面底部に、加熱可能な負荷５として電熱体（以下負荷５と記す）を密接させて付設し、内層２の外面底部に温度センサ６を設ける。負荷５と温度センサ６を電気的に接続し、電源端子７と電気的に接続する。内層２の内側の中に水を２．２Ｌ入れる。【００１５】次に、作用について説明する。
プラグ付き電源コードを電源端子に接続して、プラグを電気コンセントに差込むと、負荷５に電流が流れて負荷５は発熱して内層２の外面底部を加熱し、内層２の外面底部は、温度センサ６の加熱設定温度まで加熱される。【００１６】負荷５は内層２の外面底部に密接して付設され、内層２の外面底部の、底部と一体となっているので、空間４が真空でも、通常の加熱発熱効果を生じさせる事ができる。【００１７】  温度センサ６の設定温度に達すると負荷５に流れる電流は遮断されて、負荷５の発熱は止まり、内層２の外面底部の加熱も停止する。【００１８】  内層２の外面底部の温度が低下して、温度センサ６の加熱設定温度に達すると、負荷５に通電されて負荷５は再度発熱して、内層２の外面底部は再び加熱される。【００１９】前記のように、、内層２の外面底部は加熱されるので、加熱条件として、室温２５°Ｃ、水温２２°Ｃ、商用電源ＡＣ１００Ｖ、負荷７００Ｗで加熱し、内層２の内側の中に入れた２．２Ｌの水は１８分で沸騰した。野菜や肉や魚などの煮物料理を作る事も可能で、また、炊飯する事も出来る。内外二層の真空加熱保温器故に、長時間に亘り保温出来るので、保温電力が低減する為経済的である。【００２０】  湯が冷めた時には、そのまま再度沸す事が出来るので、従来のような、別容器で再度湯を沸したり、その湯を別容器に入れ替えたりする手間がかかる不便さが省け、また、その時に熱湯による火傷を負う事故の危険性も解消する。このように、不便と欠点、経済的な無駄など、また事故の危険性などが解消される。
本発明の真空加熱保温器の例として、電気ポット、電気炊飯器、電気鍋、おしぼり保温器、温蔵庫等が適している。【００２１】  図２は、本発明の第２の実施の形態を示している。
図２の内層２と外層３の素材を合成樹脂にして、内層２の内側の中に、内層２から出し入れできる金属製の内容器１０を設け、内層２の外面底部に、加熱可能な負荷５として、電磁誘導加熱コイル（以下負荷５と記す）を設け、内層２の外面底部に温度センサ６を設け、前記内層２の外面に、二つのリレー端子８ａを設ける。二つのリレー端子８ａは接点を有している。前記二つのリレー端子８ａは、負荷５と温度センサ６と電気的に接続している。外層３の内面に、磁気作動する二つのリレー端子８と電磁石コイル９を組込んだ電磁継電器を設け、外層３に、二つの電源端子７を設ける。電磁石コイル９は、電源端子７と電気的に接続し、二つのリレー端子８も電源端子７と電気的に接続している。内容器１０に水を２．２Ｌ入れる。【００２２】  次に、作用に付いて説明する。
外層３  に設けた二つの電源端子７に、高周波電源より高周波電流出力端子を接続する。二つの電源端子７に高周波電流が出力されると、前記電磁石コイル９に励磁電流が流れ、二つのリレー端子８が磁気作動して、二つのリレー端子８の接点が、二つのリレー端子８ａの接点と接触すると、二つのリレー端子８と二つの電源端子７は、電気的に接続しているので、負荷５へ、二つの電源端子７より高周波電流が流れ、負荷５より交番磁界が発生して、この交番磁界に在る、内層２の内側の中の金属製の内容器１０の底部に、この交番磁界で電磁誘導による渦電流が流れ、この渦電流が内容器１０の抵抗に作用して内容器１０自体が発熱し加熱され、温度センサ６の加熱設定温度に達するまで熱せられる。【００２３】加熱設定温度に達すると、温度センサ６が働き、負荷５に流れている高周波電源からの高周波電流は遮断され、二つの電源端子７から高周波電流を継電していたリレー端子８とリレー端子８ａの全て接点は開放され、負荷５より発生していた交番磁界は消滅し、内容器１０の底部の、電磁誘導による渦電流も消滅して、内容器１０の底部の発熱は止まり、内容器１０の底部の加熱は停止する。【００２４】  また、長時間経過して、内層２の内側の中に在る内容器１０の底部の温度が低下した時は、温度センサ６の加熱設定温度に低下すると、温度センサ６が通電状態になり、高周波電源から高周波電流が流れるので、電磁石コイル９に励磁電流が流れ、二つのリレー端子８ａは磁気作動して、二つのリレー端子８と、二つのリ二つのレー端子８ａの接点が接触し合い、前記負荷５に高周波電源から高周波電流が流れ、前記負荷５に交番磁界が発生して、内層２の内側の中の内容器１０の底部に、この交番磁界による渦電流が流れ、内容器１０の底部自体が発熱し加熱され、温度センサ６の加熱設定温度に達するまで熱せられる。【００２５】前記のように、、内層２の外面底部は加熱されるので、加熱条件として、室温２５°Ｃ、水温２２°Ｃ、高周波電源２０Ｋｈｚ、２００Ｖ、負荷１Ｋｗで、内層２の外面底部を電磁誘導加熱し、内層２の内側の中に入れた２．２Ｌの水は１５分で沸騰した。野菜や肉や魚などの煮物料理を作る事も可能で、また、炊飯する事も出来る。内外二層の真空加熱器故に、長時間に亘り保温出来るので、保温電力が低減する為に経済的である。【００２６】なお、第２の実施の形態の、本発明の真空加熱保温器は、ＩＨ炊飯器、ＩＨ調理鍋などに適している。【００２７】図３は、本発明の第３の実施の形態を示している。
蓋付き真空加熱保温器１の、内層２と外層３からなる内外二層の内層２の素材を金属にして、外層３の素材を合成樹脂にして、内外二層の間の空間４を真空にして、前記真空の空間４に面した内層２の外面底部に、加熱可能な負荷５として電熱体（以下負荷５と記す）を密接させて付設し、内層２の外面底部に温度センサ６を設ける。外層３の底部に、電磁誘導加熱器に対し誘導電流を発生するよう電磁結合可能なコイル１１を設け、前記コイル１１の両端にはそれぞれ電流出力端子を有し、前記コイル１１の一方の電流出力端子を電源端子７の一方と電気的に接続し、前記コイル１１の他方の電流出力端子を電源端子７の他方と電気的にす接続る。負荷５の一方の端と温度センサ６の一方を電気的に接続し、負荷５の他方の端を電源端子７の一方と電気的に接続し、温度センサ６の他方と電源端子７の他方と電気的に接続する。内層２の内側の中に水を２．２Ｌ入れる。【００２８】次に、作用について説明する。
真空加熱容器１は、コイル１１を電磁誘導加熱器の加熱位置に載せて使用される。電磁誘導加熱器の加熱位置に電磁誘導加熱コイルが在り、電磁誘導加熱器を稼働させると、電磁誘導加熱コイルに高周波電流が流れ磁力線が発生する。この磁力線が加熱位置に載せられたコイル１１を貫き、電磁誘導によってコイル１１に起電力が発生する。コイル１１から負荷５までの回路が閉回路であるため、コイル１１に発生した起電力によって電流が流れ、負荷５に電流が流れて負荷５は発熱して内層２の外面底部を加熱し、内層２の外面底部は、温度センサ６の加熱設定温度まで加熱される。【００２９】負荷５は内層２の外面底部に密接して付設され、内層２の外面底部の、底部と一体となっているので、空間４が真空でも、通常の加熱発熱効果を生じさせる事ができる。【００３０】温度センサ６の設定温度に達すると、コイル１１は開回路になり、コイル１１の起電力が消滅し、電流も消滅して、負荷５に流れる電流は遮断されて、負荷５の発熱は止まり、内層２の外面底部の加熱も停止する。【００３１】  内層２の外面底部の温度が低下して、温度センサ６の加熱設定温度に達すると、コイル１１は閉回路になり起電力が発生し、コイル１１に電流が流れ、負荷５に電流が流れ、負荷５は再度発熱して、内層２の外面底部は再び加熱される。【００３２】前記のように、、内層２の外面底部は加熱されるので、加熱条件として、室温２５°Ｃ、水温２２°Ｃ、コイル１１に発生した電流は２０ＫＨｚ、ＡＣ２００Ｖ、負荷７００Ｗで加熱し、内層２の内側の中に入れた２．２Ｌの水は１８分で沸騰した。野菜や肉や魚などの煮物料理を作る事も可能で、また、炊飯する事も出来る。内外二層の真空加熱保温器故に、長時間に亘り保温出来るので、保温電力が低減する為経済的である。【００３３】なお、第３の実施の形態の、本発明の真空加熱保温器の例として、電気ポット、電気炊飯器、電気鍋、等が適している。
【発明の効果】
【００３４】  本発明の真空加熱保温器は、真空保温器自体で直接湯を沸したり煮物を煮たりする事が出来る。例えば、湯を保温する場合、従来は、他容器で沸した湯を、魔法瓶など保温する容器へ、湯を移し替える手間が掛かったが、この手間が省けるようになった。また、従来、保温容器の中の湯が冷めた時は、冷めた湯を放出したり、新たに他容器で沸した湯を、魔法瓶など保温する容器へ、湯を移し替える等、手間と不便、また、熱湯による火傷の事故の危険性が伴っていたが、本発明の真空加熱保温器は、そのまま再度沸すことができるので、新たに別の容器で湯を沸かしたり、その沸かした湯を、その都度、他容器に再注入して保温するなどの手間と不便、または、熱湯による火傷の事故の危険性が解消された。また、本発明の真空加熱保温器は、長時間に亘り保温出来る。従って、従来の電気ポットが保温用に費やしていた電力を省電力化できる。また、湯を沸すだけでなく、煮物を煮たり、冷たいものを保冷する事も出来きる。このように、本発明の真空加熱保温器の効果は、前記の手間のかかる不便と欠点、及び熱湯による火傷の事故の危険性が解消されると伴に、省電力化が可能となった。また、本発明の真空加熱保温器は、電気ポット、電気炊飯器、ＩＨ炊飯器、電気調理鍋、ＩＨ調理鍋、おしぼり保温器、温蔵庫等、多目的に活用する事が出来る。
【図面の簡単な説明】
【００３５】
【図１】  本発明の第１の実施の形態の一部を切り欠いた前面図である。
【図２】  本発明の第２の実施の形態の一部を切り欠いた前面図である。
【図３】  本発明の第３の実施の形態の一部を切り欠いた前面図である。
【符号の説明】
【００３６】  ２  内層
３  外層
４  空間
５  負荷
６  温度センサ
７  電源端子
８  リレー端子
８ａ  リレー端子
９  電磁石コイル
１０  内容器
１１  コイル